(57)【要約】【課題】上向きに保持されたレフィルの先端をカバーするキャップを、分かり易い簡単な操作で開放することができ、しかも、このキャップを紛失するおそれのない、蓋部材一体型の棒状化粧料容器を提供する。【解決手段】内部に棒状化粧料が充填されたレフィル４を保持するレフィルホルダ２の筒状部２ａの外周面に形成された第１係合用突部２ｃと、このレフィルホルダ２の上部開口をカバーするキャップ１の側壁１ａの外周面に形成された第２係合用突部１ｃとの間に、第１係合用突部２ｃに係合する第１ヒンジ部５ｂおよび第２係合用突部１ｃに係合する第２ヒンジ部５ｃを両端に備えるキャップ支持部材５を介在配置することにより、レフィルホルダ２の上面から突出するレフィル４に接触させることなく、キャップ１を簡単に開閉することができる。また、この棒状化粧料容器はキャップ１を紛失するおそれがない。【選択図】図１
2010136885.tif 000002
【特許請求の範囲】
【請求項１】
内部に棒状化粧料が充填された円筒状のレフィルと、外周が多角形状に形成された筒状部と底部とからなるレフィルホルダと、このレフィルホルダと略同じ外周形状を有する側壁と蓋部とからなるキャップとを備え、上記レフィルホルダの上面開口から嵌め入れられたレフィルを、その上端が該レフィルホルダの上面開口から突出した状態で保持する棒状化粧料容器において、上記レフィルホルダの筒状部の外周面のうちの一面には、ヒンジ用の第１係合用突部が形成され、上記キャップの側壁の一部には、上記レフィルの外径より幅広で、かつ、上記キャップの底面開口に連通する側面開口が設けられ、この側面開口の上縁部にヒンジ用の第２係合用突部が形成されているとともに、上記キャップの側面開口と同じ幅を有する柱部と、この柱部の下端に形成されて上記第１係合用突部と係合する第１ヒンジ部と、上記柱部の上端に形成されて上記第２係合用突部に係合する第２ヒンジ部とからなるキャップ支持部材が、上記レフィルホルダの第１係合用突部とキャップの第２係合用突部との間に配設されていることを特徴とする棒状化粧料容器。
【請求項２】
上記第１ヒンジ部の回動支点が、上記レフィルホルダの上縁より下側の位置に配置され、上記第２ヒンジ部の回動支点が、上記レフィルにおける上記レフィルホルダからの突出高さの中間点より上側の位置に配置されている、請求項１記載の棒状化粧料容器。
【請求項３】
上記キャップ支持部材の柱部と上記レフィルホルダの筒状部との間に係止手段が設けられ、上記第１ヒンジ部の回動動作が、上記第２ヒンジ部の回動による上記キャップの開放動作の完了後に行なわれるようになっている、請求項１または２記載の棒状化粧料容器。
【請求項４】
上記キャップが、透明または半透明の樹脂を用いて形成され、このキャップの少なくとも蓋部の上面には、上記棒状化粧料と同色の色見本が配設されている、請求項１〜３のいずれか一項に記載の棒状化粧料容器。
【発明の詳細な説明】
【技術分野】
【０００１】
本発明は、口紅，リップクリーム等の棒状化粧料を繰り出して使用する容器に関するもので、特に、店頭等に展示され、ユーザーが試用することのできる口紅テスター等、棒状化粧料のテスターに適した容器に関する。
【背景技術】
【０００２】
従来から、口紅等、棒状化粧料の色見本品を店頭等で展示する際には、図４に示すように、レフィルホルダ２２の上側に色見本２１（ダミーや色板，シール等）が取り付けられ、その下側に試供用のサンプル品（試供品用のレフィル２４）が配設されたテスター２０を各色ごとに用意し、これらを、上面に多数のテスター挿入穴３０ａが設けられた展示台３０に並べて展示する方法が用いられている（例えば、特許文献１〜２等を参照。）。
【０００３】
この試供品用のレフィル（あるいはリフィル：ｒｅｆｉｌｌ）２４は、相対回転する外筒と内筒からなる試供品用筒状体の内部に、上記色見本２１と同じ色の棒状化粧料を充填したもので、図５のように、その開口（棒状化粧料の繰出し口）を下に向けた状態でアダプタ２３に嵌め入れられ、このアダプタ２３ごとレフィルホルダ２２の下端開口から押し込まれて、上記レフィルホルダ２２の内側に下向きに保持されている。
【０００４】
顧客（ユーザー）が試用する場合は、上記テスター２０を展示台３０から抜き出し、試供品用のレフィル２４を上に向け、その状態で、レフィル２４における上記レフィルホルダ２２から露出（突出）している部位（筒状体の外筒）と、レフィルホルダ２２とを相対回転させて棒状化粧料を繰出し、試し塗りすることが行なわれる。
【０００５】
また、上述のような口紅のテスター２０の展示方法では、テスター２０が長期間展示されていると、試し塗りを繰り返されるために使い尽くされたり、すり減って見栄えが悪くなったりする場合がある。このようなときは、レフィルを新しいものと交換する必要があるが、試供品用のレフィル２４は販売促進用として限定生産されたもので再入手が困難であるため、代わりに、図５のように、市販品（商品）に用いられている筒状体（市販品用のレフィル２５）を上記レフィルホルダ２２に保持して展示することが行われる。
【０００６】
なお、通常、市販品用のレフィル２５は、そのスリーブの外径が試供品用のレフィル２４より大径に形成されているため、レフィルホルダ２２の下端開口からそのまま押し込んで固定するか、あるいは、別途専用のアダプタを介して固定する方法が採られている。
【特許文献１】特開平８−１１７０６９号公報
【特許文献２】特開平９−３２２８２０号公報
【特許文献３】特開平１０−１７４６１４号公報
【特許文献４】特開平１１−４６８５２号公報
【発明の開示】
【発明が解決しようとする課題】
【０００７】
ところで、このような口紅の展示方法においては、図４のように、テスター２０は、その上部の色見本２１がユーザーから見えるように載置され、その下部（サンプル品の部分）が展示台３０の挿入穴３０ａに挿入されて隠れるため、下方を向くレフィル（２４，２５）の開口部には、カバーやキャップ等の蓋部材は特に設けられていない。
【０００８】
ところが、近年、密着感やツヤ等を向上させた口紅等、従来よりオイルリッチで低融点の棒状化粧料が商品化されたことから、テスターを展示する場所によっては、夏場等の気温の上昇あるいは照明光による温度上昇等により、棒状化粧料が軟化してしまう場合があることが分かってきた。また、この棒状化粧料の軟化が極端な場合、展示時は開口を下にして配置されているレフィルから、溶融した棒状化粧料の滴が落下するおそれがあり、最悪の場合、棒状化粧料自身がレフィルから抜け落ちる等の問題が発生する可能性がある。
【０００９】
このような問題を解決する方法として、これまでとは逆に、レフィルを上向きに（すなわち、棒状化粧料の繰出し口を展示台上方に向けて）保持し、そのレフィルの開口の上方に、ホコリや照明の熱等を遮るキャップ等の蓋部材を設けた棒状化粧料のテスターが考えられる。
【００１０】
しかしながら、展示に用いられる棒状化粧料のテスターは、市販品とは異なり、不特定多数の人が試用するために、蓋やキャップ等を設けた場合でも、１）この蓋やキャップ等の上部構造が簡単かつ直感的に開閉可能であること。２）開けた蓋やキャップ等を紛失しない構造であること。３）レフィルの交換が容易であること、等が求められる。
【００１１】
なお、ユーザーに提供される市販品においては、通常、蓋やキャップ等が別体となった商品が多く見受けられる。また、蓋やキャップ等がレフィルホルダに一体化され、これらの開閉がレフィルの昇降に伴って自動で行なわれる提案（特許文献３〜４等）もなされてはいるが、これらの提案に係る棒状化粧料容器は、レフィルの交換が考慮された構造とはなっておらず、構造が複雑で製造コストが嵩むという問題がある。
【００１２】
本発明は、このような事情に鑑みてなされたもので、上向きに保持されたレフィルの先端をカバーするキャップを、分かり易い簡単な操作で開放することができ、しかも、このキャップを紛失するおそれのない、蓋部材一体型の棒状化粧料容器の提供をその目的とする。
【課題を解決するための手段】
【００１３】
上記の目的を達成するため、本発明は、内部に棒状化粧料が充填された円筒状のレフィルと、外周が多角形状に形成された筒状部と底部とからなるレフィルホルダと、このレフィルホルダと略同じ外周形状を有する側壁と蓋部とからなるキャップとを備え、上記レフィルホルダの上面開口から嵌め入れられたレフィルを、その上端が該レフィルホルダの上面開口から突出した状態で保持する棒状化粧料容器において、上記レフィルホルダの筒状部の外周面のうちの一面には、ヒンジ用の第１係合用突部が形成され、上記キャップの側壁の一部には、上記レフィルの外径より幅広で、かつ、上記キャップの底面開口に連通する側面開口が設けられ、この側面開口の上縁部にヒンジ用の第２係合用突部が形成されているとともに、上記キャップの側面開口と同じ幅を有する柱部と、この柱部の下端に形成されて上記第１係合用突部と係合する第１ヒンジ部と、上記柱部の上端に形成されて上記第２係合用突部に係合する第２ヒンジ部とからなるキャップ支持部材が、上記レフィルホルダの第１係合用突部とキャップの第２係合用突部との間に配設されている棒状化粧料容器を第１の要旨とする。
【００１４】
また、本発明は、そのなかでも、特に、上記第１ヒンジ部の回動支点が、上記レフィルホルダの上縁より下側の位置に配置され、上記第２ヒンジ部の回動支点が、上記レフィルにおける上記レフィルホルダからの突出高さの中間点より上側の位置に配置されている棒状化粧料容器を第２の要旨とする。
【００１５】
さらに、本発明は、それらのなかでも、特に、上記キャップ支持部材の柱部と上記レフィルホルダの筒状部との間に係止手段が設けられ、上記第１ヒンジ部の回動動作が、上記第２ヒンジ部の回動による上記キャップの開放動作の完了後に行なわれるようになっている棒状化粧料容器を第３の要旨とする。
【００１６】
また、本発明は、それらのなかでも、特に、上記キャップが、透明または半透明の樹脂を用いて形成され、このキャップの少なくとも蓋部の上面には、上記棒状化粧料と同色の色見本が配設されている、テスター用の棒状化粧料容器を第４の要旨とする。
【発明の効果】
【００１７】
本発明は、柱部の上端および下端にそれぞれ１つずつのヒンジ部を有するキャップ支持部材を用いて、レフィルホルダとこのホルダの上部をカバーするキャップとを連結し、このキャップを二段階動作で開閉させることにより、上記キャップがレフィルの先端に引っ掛かることなく、棒状化粧料の昇降動作に用いるレフィルの上部を、スムーズに露出させることができるように構成したものである。
【００１８】
すなわち、本発明の棒状化粧料容器は、レフィルホルダの中に、レフィルを上に向けて保持し、その上側にキャップを設けるとともに、上記レフィルホルダの筒状部側面（外周面）に形成された第１係合用突部と、上記キャップの側面開口の上端（外周面）に形成された第２係合用突部との間に、第１係合用突部に係合する第１ヒンジ部および第２係合用突部に係合する第２ヒンジ部を両端に備えるキャップ支持部材を介在配置することにより、上記キャップを、レフィルホルダの上面開口から突出するレフィルに接触させることなく、簡単に開閉させることが可能になる。
【００１９】
また、本発明の棒状化粧料容器は、上記キャップがキャップ支持部材を介してレフィルホルダに連結されていることから、このキャップが離れて紛失するおそれがなく、構造がシンプルで、誰にでも簡単にかつ直感的に操作することができる。
【００２０】
さらに、本発明の棒状化粧料容器は、レフィルホルダの上面全体を大きく開口させることができることから、口紅テスター等の展示品に用いた場合も、その内部に嵌め入れられたレフィルの交換作業を容易に行なうことができるという利点を有する。
【００２１】
また、本発明において、特に、上記第１ヒンジ部の回動支点が、上記レフィルホルダの上縁より下側の位置に配置され、上記第２ヒンジ部の回動支点が、上記レフィルにおける上記レフィルホルダからの突出高さの中間点より上側の位置に配置されているものは、レフィルの先端部がレフィルホルダ上面から突出する高さに関わらず、キャップをこのレフィルに接触させることなく開くことが可能になる。さらに、キャップを開いた後は、上記キャップおよびキャップ支持部材がレフィルホルダの開口面より下に位置するため、これらキャップ等が棒状化粧料の昇降動作（レフィル上部の回転動作）の邪魔になることがない。
【００２２】
そして、本発明において、特に、上記キャップ支持部材の柱部と上記レフィルホルダの筒状部との間に係止手段が設けられ、上記第１ヒンジ部の回動動作が、上記第２ヒンジ部の回動による上記キャップの開放動作の完了後に行なわれるようになっているものは、上述のキャップを開放する時の二段階動作を、予備知識がなくても、誰もが直感的にかつ簡単に行なうことができるようになる。
【００２３】
また、本発明において、特に、上記キャップが、透明または半透明の樹脂を用いて形成され、このキャップの少なくとも蓋部の上面に、上記棒状化粧料と同色の色見本が配設されているものは、キャップ内のレフィル上部の視認性を向上させることができるとともに、このレフィルの開口と棒状化粧料を保護しながら、ユーザーに対して商品情報を提供することが可能となるため、口紅テスター等の棒状化粧料のテスターに適する。
【発明を実施するための最良の形態】
【００２４】
つぎに、本発明の実施の形態を、図面にもとづいて詳しく説明する。ただし、本発明は、この実施の形態に限定されるものではない。
【００２５】
図１は、本発明の実施の形態における棒状化粧料容器（棒状化粧料テスター１０）の縦断面図である。また、図２は、この棒状化粧料テスター１０をヒンジ側から見た外観図であり、図３は、この棒状化粧料テスター１０の構成を示す組立図である。
【００２６】
本実施形態における棒状化粧料容器（棒状化粧料テスター１０）は、口紅等、棒状化粧料の色見本品を店頭等で展示する際に用いられるテスターであり、試供品用のレフィル４と、アダプタ３と、キャップ１を備えるレフィルホルダ２とから構成されている。なお、従来の口紅テスター２０（図５参照）とは異なり、図３のように、本実施形態におけるレフィルホルダ２は、その開口が上面に設けられており、この上面開口から、レフィル４を嵌め入れたアダプタ３を挿入して形成されている。
【００２７】
すなわち、本実施形態における棒状化粧料テスター１０は、通常の棒状化粧料容器と同様、そのレフィル４の開口（棒状化粧料の繰出し口）を上に向けて、すなわち、ユーザーの使用方向と同じ方向に向けて保持するように構成されている。したがって、この棒状化粧料テスター１０は、夏場等の気温の上昇あるいは店頭の照明光による温度上昇等、レフィル４の内部に充填された棒状化粧料が軟化し易い環境におかれた場合でも、溶融した棒状化粧料の滴が落下したり、棒状化粧料自身がレフィル４から抜け落ちる等の不具合の発生がない。
【００２８】
本実施形態における棒状化粧料容器およびこれを用いたテスター１０の特徴は、上記レフィル４がその開口を上に向けて保持されている点に加え、上記アダプタ３を介してレフィル４を保持するレフィルホルダ２と、このレフィルホルダ２の上部開口をカバーするキャップ１とが、上端および下端にそれぞれ１つずつのヒンジ部５ｂ，５ｃを有するキャップ支持部材５を用いて連結されている点である。
【００２９】
アダプタ３は、底部３ｂと、内周面の底部３ｂ近傍にレフィル嵌合用の複数のリブ３ｄ，３ｄ，・・・を有する円筒部３ａとから構成されており、この円筒部３ａの内部に、上記レフィル４を嵌め入れて固定することができる。なお、円筒部３ａの外周面には、レフィルホルダ２との嵌合に用いられる複数のガイド３ｃ，３ｃ，・・・および３ｃ’，３ｃ’が設けられている。
【００３０】
また、試供品用のレフィル４は、従来品と同様、相対回転する外筒と内筒からなる試供品用筒状体（スリーブ）の内部に、色見本１１と同じ色の棒状化粧料が充填されたものであり、その長さ（軸方向長さ）は、上記アダプタ３の内部空間の高さ（上面開口から底部３ｂまでの深さ）より長く形成されている。そのため、アダプタ３に嵌め入れてレフィルホルダ２にセットされた場合、このレフィル４は、その上端（先端）をレフィルホルダ２の上面開口から突出させて保持される。
【００３１】
つぎに、レフィルホルダ２と、キャップ１およびキャップ支持部材５の構造を詳しく説明する。
【００３２】
レフィルホルダ２は、外周が多角形状（本実施形態においては四角形状）に形成された筒状部２ａと底部２ｂとからなり、この筒状部２ａの外周面のうちの１つの面（図１においては図示右側の面）には、後述するキャップ支持部材５の第１ヒンジ部５ｂと係合する第１係合用突部２ｃが設けられている。また、筒状部２ａの内周面の底部２ｂ近傍には、上記アダプタ３の底部３ｂを保持する複数のリブ２ｄ，２ｄ，・・・が形成されているとともに、その底部２ｂには、別途用意したダミーＤを係止する場合に用いる係合穴２ｆ，２ｆが設けられている。
【００３３】
なお、上記第１係合用突部２ｃより上部（開口側）の筒状部外周面２ｅは、キャップ支持部材５の柱部５ａの厚みを考慮して、その厚さが、その他の部位の筒状部２ａに比べて薄くなるように形成されている。この筒状部外周面２ｅの外面に、上記キャップ支持部材５の柱部５ａと係合する突片を設けてもよい。また、通常の市販品（商品）として、ダミーＤを使用しない場合は、底部２ｂに上記係合穴２ｆ，２ｆを設けなくてもよい。
【００３４】
キャップ１は、上記レフィルホルダ２と略同じ外周形状（本実施形態においては四角形状）を有する側壁１ａと蓋部１ｂとからなり、この側壁１ａの外周面のうちの１つの面（図１においては図示右側の面）には、後述するキャップ支持部材５の第２ヒンジ部５ｃと係合する第２係合用突部１ｃが設けられている。
【００３５】
なお、上記第２係合用突部１ｃより下部（開口側）には、キャップ１の側壁１ａが形成されておらず、キャップ１の底面開口に連通する側面開口となっている。そして、この側面開口部分は、上記キャップ支持部材５の柱部５ａの一部が、上記側壁１ａに代わってその開口をカバーしている。また、キャップ１は、内部のレフィル４の先端部が容易に視認できるように、樹脂等を用いて透明あるいは半透明に形成されており、その蓋部１ｂの上面には、色板やシール等からなる色見本１１が取り付けられている。
【００３６】
これらレフィルホルダ２とキャップ１を連結するキャップ支持部材５は、図２のように、上述のキャップ１の側面開口と同じ幅（およびレフィルホルダ２の側面と同じ幅）を有する略板状の柱部５ａと、この柱部５ａの下端に一体に形成された第１ヒンジ部５ｂと、上記柱部５ａの上端に一体に形成された第２ヒンジ部５ｃとからなる。
【００３７】
下端側の第１ヒンジ部（５ｂ）には、上記レフィルホルダ２の外周面に設けられた第１係合用突部２ｃを挟み込んで係合できるように、左右の第１ヒンジ部５ｂ，５ｂ’が形成されており、これら第１係合用突部２ｃおよび左右の第１ヒンジ部５ｂ，５ｂ’のどちらか一方に設けられた凸状部を他方に係合させるか、あるいは、これら第１係合用突部２ｃおよび第１ヒンジ部５ｂ，５ｂ’の間に、別途用意した芯棒状の部材を挿通させるかして、ヒンジ（蝶番）として構成されている。
【００３８】
また、上端側の第２ヒンジ部（５ｃ）にも、上記キャップ１の外周面に設けられた第２係合用突部１ｃを挟み込んで係合できるように、左右の第２ヒンジ部５ｃ，５ｃ’が形成されており、上述の第１ヒンジ部５ｂと同様の方法を用いて、ヒンジ（蝶番）として構成されている。なお、上記第１係合用突部２ｃと左右の第１ヒンジ部５ｂ，５ｂ’、および、上記第２係合用突部１ｃと左右の第２ヒンジ部５ｃ，５ｃ’を用いてヒンジとして構成する方法は、上記例に限定されるものではなく、その他の従来公知のヒンジの構成手段を用いることもできる。
【００３９】
つぎに、上記キャップ支持部材５を介してレフィルホルダ２に接続されたキャップ１の開放動作について説明する。なお、ユーザーの操作を考慮して、レフィルホルダ２の上下方向（図示上下方向）をそのまま上側および下側とし、ヒンジのない側（図示左方）を手前側、ヒンジのある側（図示右方）を奥側として説明する。
【００４０】
店頭等に展示された棒状化粧料テスター１０は、初期の状態において、図１の実線のように、閉じられたキャップ１により、レフィルホルダ２の上部開口がカバーされている。
【００４１】
なお、この状態（図１の実線）において、上記第１ヒンジ部５ｂの回動支点Ｏ1は、レフィルホルダ２の上縁より下側（距離Ｎ）の位置に配置されている。また、上記第２ヒンジ部５ｃの回動支点Ｏ2は、レフィルホルダ２の上縁より上方（距離Ｍ）の位置に配置されているとともに、この回動支点Ｏ2は、レフィル４の先端（点Ｑ）がレフィルホルダ２の上縁から突出する高さ（距離Ｌ＋Ｍ）の中間点より上側の位置（Ｌ＜Ｍ）に配置されている（図２を参照）。
【００４２】
ユーザーの指等により、手前側のキャップ１の側壁１ａ（図示左方の側面）が押し上げられた場合、まず、キャップ１が第２ヒンジ部５ｃの回動支点Ｏ2を中心に上側に向かって回転し（矢印Ａ）、レフィル４の先端が露出する。この時、上記回動支点Ｏ2から最も遠いキャップ１の下端部（点Ｐ）は、図中鎖線のような軌跡を通って点Ｐ’まで移動することとなるが、上述のように、回動支点Ｏ2がホルダ２から突出するレフィル４の高さの中間点より上側の位置（Ｌ＜Ｍ）に配置されていることから、キャップ１の下端部（点Ｐ）はレフィル４の先端（点Ｑ）に接触することなく、スムーズにレフィルホルダ２の奥側（ヒンジ側）に向かって開くことができる。
【００４３】
また、上記レフィル４の上部が露出した後は、指等の押圧によって、キャップ１がさらにレフィルホルダ２の奥側に向かって回転を続けるとともに、それに繋がるキャップ支持部材５が、第１ヒンジ部５ｂの回動支点Ｏ1を中心に奥側に向かって回転を始める（矢印Ｂ，Ｂ）。なお、前述のように、レフィルホルダ２の筒状部外周面２ｅにキャップ支持部材５の柱部５ａと係合する突片が設けられている場合は、これらの間の軽い係止力により、上記キャップ支持部材５の回転の始まりを、確実に、レフィル４の上部の露出完了後に遅らせることができ、好適である。
【００４４】
その後、キャップ１およびキャップ支持部材５は、指等の押圧によってさらに下側へ回転し、レフィルホルダ２の側面に接触して停止する（矢印Ｃ，Ｃ）。このとき、第１ヒンジ部５ｂの回動支点Ｏ1がレフィルホルダ２の上縁より下側の位置に配置されているために、これらキャップ１およびキャップ支持部材５は、ユーザーによる棒状化粧料の繰出し（昇降）操作の邪魔にならない下側の位置まで到達する。
【００４５】
以上の構成により、本実施形態における棒状化粧料テスター１０は、レフィル４を上に向けて保持し、その上側にキャップ１を設けたにも関わらず、このキャップ１がレフィルホルダ２上面から突出するレフィル４の先端に引っ掛かることなく、簡単に開閉させることができる。
【００４６】
また、キャップ１がキャップ支持部材５を介してレフィルホルダ２に連結されていることから、このキャップ１が離れて紛失するおそれが少なく、構造がシンプルで、誰にでも簡単にかつ直感的に操作することができる。
【００４７】
さらに、この棒状化粧料テスター１０は、レフィルホルダ２の上面全体が大きく開口することから、その内部に保持されたレフィル４の交換作業を容易に行なうことができる。
【００４８】
なお、本実施形態においては、本発明に係る棒状化粧料容器として、試供品用のレフィル４を用いたテスター１０を例に説明したが、この試供品用のレフィル４に代えて、通常の市販品（商品）に用いられているレフィル２５（図５参照）を使用することができる。その場合のアダプタ３の使用は任意である。
【００４９】
また、レフィルホルダ２やキャップ１およびキャップ支持部材５を構成する材料や、これらの形状も特に限定されず、レフィル４の内部に充填される棒状化粧料も、口紅の他、リップクリーム等、その他のスティック状化粧品でもよい。したがって、レフィルホルダ２の形状や、キャップ１およびキャップ支持部材５の形状等は、その商品に合わせて適宜変更すればよい。
【００５０】
上記実施形態においては、顧客の試用に供される口紅テスターを例に説明したが、本発明の棒状化粧料容器の構造は、この店頭用テスターだけではなく、顧客に販売される通常の市販品（商品）に適用でき得ることはいうまでもない。
【産業上の利用可能性】
【００５１】
本発明は、店頭等に展示されてユーザーが試用することのできる口紅テスターやリップクリームテスター等、不特定多数の人が利用する可能性のある棒状化粧料のテスターに適する。また、顧客に販売される市販品（商品）の棒状化粧料容器に使用することもできる。
【図面の簡単な説明】
【００５２】
【図１】本発明の実施の形態における棒状化粧料容器の断面図である。
【図２】本発明の実施の形態における棒状化粧料容器の外観図である。
【図３】本発明の実施の形態における棒状化粧料容器の構成を示す組立図である。
【図４】口紅テスターの展示方法を説明する図である。
【図５】従来の口紅テスターの構成を示す組立図である。
【符号の説明】
【００５３】
１  キャップ
１ａ  側壁
１ｂ  蓋部
１ｃ  第２係合用突部
２  レフィルホルダ
２ａ  筒状部
２ｂ  底部
２ｃ  第１係合用突部
３  アダプタ
４  レフィル
５  キャップ支持部材
５ａ  柱部
５ｂ，５ｂ’  第１ヒンジ部
５ｃ，５ｃ’  第２ヒンジ部
１０  テスター
Ｄ  ダミー
【図１】
2010136885.tif 000003
【図２】
2010136885.tif 000004
【図３】
2010136885.tif 000005
【図４】
2010136885.tif 000006
【図５】
2010136885.tif 000007